(57)【要約】【課題】主電源の急激な推移に対しても正常に電圧検出ができる。【解決手段】主電源線と内部電源線との間に直列に接続された第１の能動素子及び第２の能動素子と、副電源線と内部電源線との間に接続された第３の能動素子と、主電源線と接続され、主電源がＯＦＦ状態から規定電圧以上になった時点で切り替わり、主電源がＯＮ状態から規定電圧以下になった時点で切り替わる電圧検出信号を出力する電圧検出回路と、主電源線と接続され、主電源がＯＮ状態になってから所定時間後に保留解除信号を出力する保留時間発生回路と、電圧検出信号が切り替わり、かつ保留解除信号が出力された時点で、第１の能動素子を導通状態かつ第３の能動素子を非導通状態にし、電圧検出信号が切り替わった時点で、第１の能動素子を非導通状態かつ第３の能動素子を導通状態にする選択回路と、第２の能動素子を導通状態にする定電圧を出力する定電圧発生回路と、を含む電源回路。【選択図】図１
2008282119.tif 000002
【特許請求の範囲】
【請求項１】
主電源が印加される主電源線と、
副電源が印加される副電源線と、
内部電源が出力される内部電源線と、
前記主電源線と前記内部電源線との間に直列に接続された第１の能動素子及び第２の能動素子と、前記副電源線と前記内部電源線との間に接続された第３の能動素子と、を含む電源切替回路と、
前記内部電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、
前記主電源線と接続され、前記主電源が前記ＯＮ状態になってから所定時間後に保留解除信号を出力する保留時間発生回路と、
前記電圧検出信号が前記第１電位から前記第２電位に切り替わり、かつ前記保留解除信号が出力された時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、
前記内部電源で動作し、前記第２の能動素子のゲート端子に前記第２の能動素子を導通状態にする定電圧を出力する定電圧発生回路と、
を含む、
ことを特徴とする電源回路。
【請求項２】
主電源が印加される主電源線と、
副電源が印加される副電源線と、
内部電源が出力される内部電源線と、
前記主電源線と前記内部電源線との間に直列に接続された第１の能動素子及び第２の能動素子と、前記副電源線と前記内部電源線との間に接続された第３の能動素子と、を含む電源切替回路と、
前記副電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、
前記電圧検出信号が前記第１電位から前記第２電位に切り替わった時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、
前記副電源で動作し、前記第２の能動素子のゲート端子に前記第２の能動素子を導通状態にする定電圧を出力する定電圧発生回路と、
を含む、
ことを特徴とする電源回路。
【請求項３】
主電源が印加される主電源線と、
副電源が印加される副電源線と、
内部電源が出力される内部電源線と、
前記主電源線と前記内部電源線との間に直列に接続された第１の能動素子及び第２の能動素子と、前記副電源線と前記内部電源線との間に接続された第３の能動素子と、を含む電源切替回路と、
前記副電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、
前記主電源線と接続され、前記主電源が前記ＯＮ状態になってから所定時間後に保留解除信号を出力する保留時間発生回路と、
前記電圧検出信号が前記第１電位から前記第２電位に切り替わり、かつ前記保留解除信号が出力された時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、
前記副電源で動作し、前記第２の能動素子のゲート端子に前記第２の能動素子を導通状態にする定電圧を出力する定電圧発生回路と、
を含む、
ことを特徴とする電源回路。
【請求項４】
請求項１から３のいずれか一項に記載の電源回路を含む、ことを特徴とする電子機器。
【発明の詳細な説明】
【技術分野】
【０００１】
本発明は、主電源と副電源の電源切り替えを行う電源回路、及び電源回路を用いた電子機器に関する。
【背景技術】
【０００２】
電子機器に組み込まれているリアルタイムクロック（ＲＴＣ：Real Time Clock）は、それが組み込まれた製品の電源が切られた場合でも常に時刻を計測し続ける必要がある。そのためＲＴＣの電源には、一般的に２系統の電源が必要である。一つは、主電源であり、組み込まれた製品の電源がＯＮの時にＲＴＣに動作電源を供給する。もう一つは、副電源であり、主電源がＯＦＦになった時に備えて主電源から独立した動作電源を供給する。副電源は、一般的に２次電池から電源供給を受ける。そこでＲＴＣには、主電源と副電源の状態を検出し、どちらか一方を選択して内部動作電源とする電源切替回路が用意されている。
【０００３】
例えば特許文献１には、ダイオードにより主電源と２次電池を切り替える電源切替回路が記載されている。
【０００４】
電源切替回路の動作は通常、主電源のＯＮ／ＯＦＦ状態を検出するための電圧検出回路と、電圧検出回路の出力値に応じて主電源または副電源のどちらか一方を内部動作電源に切り替える電源切替回路と、主電源がＯＮの時、副電源に結線されている２次電池を充電するための充電回路と、から構成されている。
【０００５】
特に注目すべき点は、電圧検出回路は、主電源のＯＮからＯＦＦへの推移と、ＯＦＦからＯＮへの推移を検出することで、電源切替回路を正常に動作させるためには、電圧検出回路自身の動作に必要な電源は、常時電圧が供給されている内部動作電源にする必要がある。これにより、電圧検出回路は、常時電圧検出動作が可能になる。
【０００６】
【特許文献１】特開平４−１６３６５２号公報（図３）
【発明の開示】
【発明が解決しようとする課題】
【０００７】
しかしながら、主電源がＯＮからＯＦＦへ急激に推移した場合、電圧検出回路が主電源の電圧低下を検出し、電源切替回路が内部動作電源を副電源に切り替えるまでの時間の遅れにより、内部動作電源が瞬間的に電圧低下を引き起こし、これが原因でＲＴＣ内部の時間データが破壊されることになる。また最悪の場合、電源の切り替えが行われないまま内部動作電源も接地電位になってしまう。さらに、主電源がＯＦＦからＯＮに変化する時、内部動作電源も急激に変化するため電圧検出回路も一定期間正常な電圧検出ができない場合がある。
【０００８】
本発明は、このような事情に鑑みてなされたものであり、主電源の急激な推移に対しても正常に電圧検出ができ、主電源と副電源の切り替えを行うことができる電源回路、及び電源回路を用いた電子機器を提供することを目的とするものである。
【課題を解決するための手段】
【０００９】
上記課題を解決するために、本発明の電源回路では、主電源が印加される主電源線と、副電源が印加される副電源線と、内部電源が出力される内部電源線と、前記主電源線と前記内部電源線との間に直列に接続された第１の能動素子及び第２の能動素子と、前記副電源線と前記内部電源線との間に接続された第３の能動素子と、を含む電源切替回路と、前記内部電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、前記主電源線と接続され、前記主電源が前記ＯＮ状態になってから所定時間後に保留解除信号を出力する保留時間発生回路と、前記電圧検出信号が前記第１電位から前記第２電位に切り替わり、かつ前記保留解除信号が出力された時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、前記内部電源で動作し、前記第２の能動素子のゲート端子に前記第２の能動素子を導通状態にする定電圧を出力する定電圧発生回路と、を含むことを要旨とする。
【００１０】
この構成によれば、主電源の立ち上り時に電圧検出回路が不安定となる期間を保留時間発生回路により保留することができるので正常に主電源の電圧検出ができ、主電源と副電源の切り替えを行うことができる。さらに、主電源が急激に立ち下がった時に定電圧発生回路と第２の能動素子により内部電源が副電源よりも下がってしまうことを抑止できるので、主電源の急激な推移に対しても正常に電圧検出ができ、主電源と副電源の切り替えを行うことができる。
【００１１】
また、上記課題を解決するために、本発明の電源回路では、主電源が印加される主電源線と、副電源が印加される副電源線と、内部電源が出力される内部電源線と、前記主電源線と前記内部電源線との間に直列に接続された第１の能動素子及び第２の能動素子と、前記副電源線と前記内部電源線との間に接続された第３の能動素子と、を含む電源切替回路と、前記副電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、前記電圧検出信号が前記第１電位から前記第２電位に切り替わった時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、前記副電源で動作し、前記第２の能動素子のゲート端子に前記第２の能動素子を導通状態にする定電圧を出力する定電圧発生回路と、を含むことを要旨とする。
【００１２】
この構成によれば、主電源が急激に立ち下がった時に定電圧発生回路と第２の能動素子により内部電源が副電源よりも下がってしまうことを抑止できるので、主電源の急激な推移に対しても正常に電圧検出ができ、主電源と副電源の切り替えを行うことができる。
【００１３】
また、上記課題を解決するために、本発明の電源回路では、主電源が印加される主電源線と、副電源が印加される副電源線と、内部電源が出力される内部電源線と、前記主電源線と前記内部電源線との間に直列に接続された第１の能動素子及び第２の能動素子と、前記副電源線と前記内部電源線との間に接続された第３の能動素子と、を含む電源切替回路と、前記副電源で動作し、前記主電源線と接続され、前記主電源がＯＦＦ状態から規定電圧以上になった時点で第１電位から第２電位に切り替わり、前記主電源がＯＮ状態から前記規定電圧以下になった時点で前記第２電位から前記第１電位に切り替わる電圧検出信号を出力する電圧検出回路と、前記主電源線と接続され、前記主電源が前記ＯＮ状態になってから所定時間後に保留解除信号を出力する保留時間発生回路と、前記電圧検出信号が前記第１電位から前記第２電位に切り替わり、かつ前記保留解除信号が出力された時点で、前記第１の能動素子を導通状態かつ前記第３の能動素子を非導通状態にし、前記電圧検出信号が前記第２電位から前記第１電位に切り替わった時点で、前記第１の能動素子を非導通状態かつ前記第３の能動素子を導通状態にする選択回路と、前記副電源で動作し、前記第２の能動素子のゲート端子に前記第２の能動素子を導通状態にする定電圧を出力する定電圧発生回路と、を含むことを要旨とする。
【００１４】
この構成によれば、主電源の立ち上り時に電圧検出回路が不安定となる期間を保留時間発生回路により保留することができるので正常に主電源の電圧検出ができ、主電源と副電源の切り替えを行うことができる。さらに、主電源が急激に立ち下がった時に定電圧発生回路と第２の能動素子により内部電源が副電源よりも下がってしまうことを抑止できるので、主電源の急激な推移に対しても正常に電圧検出ができ、主電源と副電源の切り替えを行うことができる。
【００１５】
また、上記課題を解決するために、本発明の電子機器では、上記記載の電源回路を含むことを要旨とするので、常時電源供給が必要な計時機器などを備えた時計、携帯電話などの電子機器での利用が考えられる。
【発明を実施するための最良の形態】
【００１６】
以下、本発明を具体化した実施形態について図面に従って説明する。
【００１７】
（第１実施形態）
＜電源回路の構成＞
まず、第１実施形態に係る電源回路の構成について、図１を参照して説明する。図１は、本発明の第１実施形態に係る電源回路の構成を示す回路図である。
【００１８】
図１に示すように、電源回路１は、電源切替回路１００と、電圧検出回路２００と、保留時間発生回路３００と、選択回路４００と、定電圧発生回路５００と、から構成されている。主電源線ＮＭＶには、主電源ＭＶＤＤが供給される。副電源線ＮＳＶには、副電源ＳＶＤＤが供給される。本実施形態では、主電源ＭＶＤＤ＝３．３Ｖ、副電源ＳＶＤＤ＝１．８Ｖ、で説明する。
【００１９】
電源切替回路１００は、主電源線ＮＭＶと内部電源線ＮＯＶとの間に直列に接続された第１の能動素子であるＰｃｈトランジスタＴＲ１及び第２の能動素子であるＰｃｈトランジスタＴＲ２と、副電源線ＮＳＶと内部電源線ＮＯＶとの間に接続された２つのＰｃｈトランジスタＴＲ３１，ＴＲ３２から構成される第３の能動素子であるＰｃｈトランジスタ対ＴＲ３と、から構成されている。電源切替回路１００は、主電源ＭＶＤＤと副電源ＳＶＤＤとを切り替え、内部電源線ＮＯＶに内部電源ＯＶＤＤを供給する。内部電源線ＮＯＶには、コンデンサＣ１が接続されている。
【００２０】
ＰｃｈトランジスタＴＲ１のソース端子は、ＰｃｈトランジスタＴＲ２のドレイン端子と接続され、ＰｃｈトランジスタＴＲ１のドレイン端子は、主電源線ＮＭＶに接続され、ＰｃｈトランジスタＴＲ２のソース端子は、内部電源線ＮＯＶと接続されている。このように接続することにより、内部電源線ＮＯＶの電流が主電源線ＮＭＶに逆流することを抑止することができる。
【００２１】
また、ＰｃｈトランジスタＴＲ３１のドレイン端子は、ＰｃｈトランジスタＴＲ３２のドレイン端子と接続され、ＰｃｈトランジスタＴＲ３１のソース端子は、副電源線ＮＳＶと接続され、ＰｃｈトランジスタＴＲ３２のソース端子は、内部電源線ＮＯＶと接続されている。このように接続することにより、内部電源線ＮＯＶの電流が副電源線ＮＳＶに逆流することを抑止することができる。
【００２２】
電圧検出回路２００は、電源電圧＝内部電源ＯＶＤＤで動作し、主電源ＭＶＤＤがＯＦＦ状態（すなわちＶＳＳ）から規定電圧以上になった時点で第１電位であるＶＳＳから第２電位である内部電源ＯＶＤＤに切り替わり、主電源ＭＶＤＤがＯＮ状態（すなわち３．３Ｖ）から規定電圧以下になった時点で内部電源ＯＶＤＤからＶＳＳに切り替わる電圧検出信号Ｖｓｅｎを出力する。なお、本実施形態では、規定電圧＝１．２Ｖで説明する。
【００２３】
保留時間発生回路３００は、主電源ＭＶＤＤがＯＦＦ状態からＯＮ状態に立ち上がるまでを保留解除信号Ｖｈｌｄとして出力し、主電源ＭＶＤＤがＯＮ状態になってから所定時間後に保留解除信号ＶｈｌｄをＯＮ状態（３．３Ｖ）からＯＦＦ状態（ＶＳＳ）に切り替える。
【００２４】
選択回路４００は、電源電圧＝内部電源ＯＶＤＤで動作し、２つのレベルシフタＬＳ１，ＬＳ２と、２つのインバータＩＮ１，ＩＮ２と、２入力のＮＡＮＤ回路ＮＡ１と、から構成されている。レベルシフタＬＳ１は、電圧検出信号Ｖｓｅｎを入力し、ＮＡＮＤ回路ＮＡ１の一方の入力端子に出力する。レベルシフタＬＳ２は、保留解除信号Ｖｈｌｄを入力し、インバータＩＮ１を介してＮＡＮＤ回路ＮＡ１の他方の入力端子に出力する。ＮＡＮＤ回路ＮＡ１の出力端子は、ＰｃｈトランジスタＴＲ１のゲート端子に選択信号Ｖｃｏｎを出力し、さらに、インバータＩＮ２を介してＰｃｈトランジスタＴＲ３１，ＴＲ３２のゲート端子に反転選択信号ＶｃｏｎＸを出力する。
【００２５】
定電圧発生回路５００は、電源電圧＝内部電源ＯＶＤＤで動作し、定電圧ＶＲＥＧ１をＰｃｈトランジスタＴＲ２のゲート端子に出力する。本実施形態では、定電圧ＶＲＥＧ１＝１．２Ｖ、ＰｃｈトランジスタＴＲ２の閾値電圧Ｖｔｈ＝０．６Ｖで説明する。
【００２６】
＜電源回路の動作＞
次に、電源回路の動作について図２を参照して説明する。図２は、電源回路の動作を示すタイミング図である。
【００２７】
主電源ＭＶＤＤがＯＦＦ状態の時点ｔ０以前から、副電源ＳＶＤＤ＝１．８Ｖが印加されているものとする。また、時点ｔ０以前は、電圧検出信号Ｖｓｅｎ＝ＶＳＳ、保留解除信号Ｖｈｌｄ＝ＶＳＳ、選択信号Ｖｃｏｎ＝１．８Ｖ、反転選択信号ＶｃｏｎＸ＝ＶＳＳとなり、Ｐｃｈトランジスタ対ＴＲ３が導通状態、ＰｃｈトランジスタＴＲ１が非導通状態なので、内部電源ＯＶＤＤ＝１．８Ｖとなる。ＰｃｈトランジスタＴＲ２は、ソース端子の電圧が内部電源ＯＶＤＤ＝１．８Ｖなので、ゲート端子の電圧（定電圧ＶＲＥＧ１＝１．２Ｖ）＋閾値電圧Ｖｔｈ（０．６Ｖ）≧ソース端子の電圧（１．８Ｖ）となり、非導通状態となる。
【００２８】
主電源ＭＶＤＤは、時点ｔ０から時点ｔ２にかけてＶＳＳから３．３Ｖに立ち上がる。保留解除信号Ｖｈｌｄも主電源ＭＶＤＤに応じて時点ｔ０から時点ｔ２にかけてＶＳＳから３．３Ｖに立ち上がる。
【００２９】
時点ｔ１において、主電源ＭＶＤＤは、規定電圧＝１．２Ｖに達するので、電圧検出信号ＶｓｅｎがＶＳＳから内部電源ＯＶＤＤ＝１．８Ｖに切り替わる。
【００３０】
時点ｔ２で主電源ＭＶＤＤが３．３Ｖに達してから所定時間経過後の時点ｔ３において、保留解除信号Ｖｈｌｄが３．３ＶからＶＳＳに切り替わる。この時点でＮＡＮＤ回路ＮＡ１の２つの入力端子の電位がＨレベルとなるので、選択信号ＶｃｏｎがＶＳＳに切り替わり、反転選択信号ＶｃｏｎＸがまず１．８Ｖに切り替わり、Ｐｃｈトランジスタ対ＴＲ３が非導通状態、ＰｃｈトランジスタＴＲ１，ＴＲ２が導通状態となるので、内部電源ＯＶＤＤ＝３．３Ｖに切り替わる。内部電源ＯＶＤＤが３．３Ｖに切り替わったので、電圧検出信号Ｖｓｅｎと反転選択信号ＶｃｏｎＸも３．３Ｖに切り替わる。
【００３１】
主電源ＭＶＤＤは、時点ｔ４から時点ｔ７にかけて３．３ＶからＶＳＳに立ち下がる。内部電源ＯＶＤＤも主電源ＭＶＤＤに応じて時点ｔ４から立ち下がるが、時点ｔ５において内部電源ＯＶＤＤが１．８Ｖとなり、ＰｃｈトランジスタＴＲ２が非導通状態となる。Ｐｃｈトランジスタ対ＴＲ３も非導通状態なので、コンデンサＣ１に１．８Ｖの電位が保持され、内部電源ＯＶＤＤが１．８Ｖに保たれる。内部電源ＯＶＤＤの変移に応じて、電圧検出信号Ｖｓｅｎと反転選択信号ＶｃｏｎＸも変移する。
【００３２】
時点ｔ６において、主電源ＭＶＤＤは、規定電圧＝１．２Ｖに達するので、電圧検出信号Ｖｓｅｎが内部電源ＯＶＤＤ＝１．８ＶからＶＳＳに切り替わる。この時点で、選択信号ＶｃｏｎがＶＳＳから内部電源ＯＶＤＤ＝１．８Ｖに切り替わり、反転選択信号ＶｃｏｎＸが内部電源ＯＶＤＤ＝１．８ＶからＶＳＳに切り替わる。Ｐｃｈトランジスタ対ＴＲ３が導通状態、ＰｃｈトランジスタＴＲ１，ＴＲ２が非導通状態となるので、内部電源ＯＶＤＤは、１．８Ｖを保持する。
【００３３】
以上に述べた本実施形態によれば、以下の効果が得られる。
【００３４】
本実施形態では、主電源ＭＶＤＤの立ち上り時に電圧検出回路２００が不安定となる期間（時点ｔ１〜ｔ３）を保留時間発生回路３００から出力される保留解除信号Ｖｈｌｄにより保留することができるので正常に主電源ＭＶＤＤの電圧検出ができ、主電源ＭＶＤＤと副電源ＳＶＤＤの切り替えを行うことができる。さらに、主電源ＭＶＤＤが急激に立ち下がった時に、定電圧発生回路５００とＰｃｈトランジスタＴＲ２により内部電源ＯＶＤＤが副電源ＳＶＤＤよりも下がってしまうことを抑止できるので、主電源ＭＶＤＤの急激な推移に対しても正常に電圧検出ができ、主電源ＭＶＤＤと副電源ＳＶＤＤの切り替えを行うことができる。
【００３５】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００３６】
（変形例１）本発明に係る電源回路の変形例１について説明する。前記第１実施形態では、電圧検出回路２００と定電圧発生回路５００が内部電源ＯＶＤＤで動作し、保留時間発生回路３００を有する構成で説明したが、図３に示すように、保留時間発生回路３００を含まず、電圧検出回路２００と定電圧発生回路５００を副電源ＳＶＤＤで動作させるようにしてもよい。図４は、図３の電源回路１の動作を示すタイミング図である。
【００３７】
（変形例２）本発明に係る電源回路の変形例２について説明する。前記変形例１では、電圧検出回路２００と定電圧発生回路５００を副電源ＳＶＤＤで動作させ、保留時間発生回路３００を含まない場合を説明したが、図５に示すように保留時間発生回路３００を含んでもよい。図６は、図５の電源回路１の動作を示すタイミング図である。
【図面の簡単な説明】
【００３８】
【図１】本発明の第１実施形態に係る電源回路の構成を示す回路図。
【図２】電源回路の動作を示すタイミング図。
【図３】本発明の変形例１に係る電源回路の構成を示す回路図。
【図４】変形例１の電源回路の動作を示すタイミング図。
【図５】本発明の変形例２に係る電源回路の構成を示す回路図。
【図６】変形例２の電源回路の動作を示すタイミング図。
【符号の説明】
【００３９】
１…電源回路、１００…電源切替回路、２００…電圧検出回路、３００…保留時間発生回路、４００…選択回路、５００…定電圧発生回路。
【図１】
2008282119.tif 000003
【図２】
2008282119.tif 000004
【図３】
2008282119.tif 000005
【図４】
2008282119.tif 000006
【図５】
2008282119.tif 000007
【図６】
2008282119.tif 000008